(57)【要約】【課題】本発明は津波や洪水などが発生した際に、寝たきりのベッド利用者や車椅子利用者の入居者を効率良くエレベーターに乗せ、屋上に短時間で且つ確実に全員を運搬して避難させることが出来る社会福祉施設等に於いてエレベーターを利用する入居者の緊急避難方法を提供することを目的とする。【解決手段】予め非常階段Ｈに沿ってエレベーターＥを設置しておき、寝たきりのベッド利用者Ｂや車椅子利用者Ｋを、多段状の床21,22を有したエレベーターカゴ２に各階から同時に乗せ、エレベーターＥを１階又は半階の高さ分ずつ上昇させて停止し、上の階から順次屋上Ｏに運び出して避難させる入居者の緊急避難方法と成す。又、エレベーターカゴ２の引揚手段を、人力によって引揚げる構造と成し、それを用いた緊急避難方法と成しても良い。【選択図】図１
2014234274.tif 000002
【特許請求の範囲】
【請求項１】
寝たきりのベッド利用者（Ｂ）や車椅子利用者（Ｋ）を津波から避難させるために、エレベーター（Ｅ）を利用して建築物の屋上（Ｏ）へ運ぶ入居者の緊急避難方法であって、建築物の非常階段（Ｈ）に沿って立設したエレベーター（Ｅ）の支柱枠体(１)と、該支柱枠体(１)の内側で上昇可能に配置されると共に各階に対応する多段状の床(21)を有したエレベーターカゴ（２）と、そのエレベーターカゴ（２）が引揚げられるための引揚手段（３）と、を少なくとも備えたエレベーター（Ｅ）を設置させ、前記エレベーターカゴ（２）の床(21)が各階に対応する位置に取付けられ、各階からベッド利用者（Ｂ）や車椅子利用者（Ｋ）が同時にエレベーター（Ｅ）に乗り入れられた後、次にエレベーター（Ｅ）を１階の高さ分ずつ上昇させて停止し、上の階から順次屋上（Ｏ）に運び出して避難することを特徴とする社会福祉施設等に於いてエレベーターを利用する入居者の緊急避難方法。
【請求項２】
前記エレベーターカゴ（２）の床(21)が各階に対して、上下方向に２等分割された新たな床(22)を取付け、各階からベッド利用者（Ｂ）や車椅子利用者（Ｋ）が同時にエレベーター（Ｅ）の各床(21)に乗り入れ、先ずエレベーター（Ｅ）が半階の高さ分上昇して停止し、前記各床(22)に各階からベッド利用者（Ｂ）や車椅子利用者（Ｋ）を同時にエレベーター（Ｅ）に乗り入れ、次にエレベーター（Ｅ）を半階の高さ分ずつ上昇させて停止し、上の階から順次屋上（Ｏ）に運び出して避難する請求項１記載の社会福祉施設等に於いてエレベーターを利用する入居者の緊急避難方法。
【請求項３】
前記エレベーターカゴ（２）の引揚手段（３）が人力によって引揚げる構造と成され、それを用いて避難する請求項１又は２記載の社会福祉施設等に於いてエレベーターを利用する入居者の緊急避難方法。
【発明の詳細な説明】
【技術分野】
【０００１】
本発明は津波や洪水などが発生した際に、寝たきりのベッド利用者や車椅子利用者の入居者を屋上に避難(運搬)させるための緊急避難方法であり、特には社会福祉施設等に於いてエレベーターを利用する入居者の緊急避難方法に関する。
【背景技術】
【０００２】
現在、津波や洪水などが発生した際は、自治体等の定めた高台の学校や公民館等の公共施設へ避難するのが一般的であるが、津波の進行速度は極めて早いため、避難する高台まで離れている住民は、避難が間に合わず、逃げ遅れて津波に飲み込まれてしまう恐れが高かった。特に海岸近くの住民は短時間で高台まで避難することが殆ど出来なかったので、東日本大震災などに於いては多数の犠牲者が発生した。
【０００３】
このため、津波発生時に短時間で避難する簡易な避難用シェルターや避難塔など多くが提案されている。例えば、浮遊式のもの，地上固定式のもの，地下式のものなどがある。しかしながら、これらの設備は健常者が対象であるため、歩行困難者に対しては利用が難しく、特別養護老人ホームや介護施設，障害者施設などの社会福祉施設等の入居者を津波から避難させることは困難な状態であった。従って、歩行困難者に対して、津波から避難させる設備や装置の開発が要望されているのが現状である。
【０００４】
尚、エレベーターを利用して避難する際、特に火災の場合に車椅子利用者などのために、煙を適切に排気しながら避難運転に長い時間使用することが出来る「火災時避難エレベーター」が、特開２００９−５１６１３で提案されている。しかしながら、特開２００９−５１６１３はエレベーターボックスが１つであり、このエレベーターボックスが各階に止まって車椅子利用者などを乗せて運ぶため、一度に運ぶ人員数が限られており、且つ、寝たきりのベッド利用者をまとめてエレベーターボックスに乗せることが困難であった。従って、本発明の如く一度に多くのベッド利用者や車椅子利用者を乗せることは困難であると共にそれらの人を略同時に屋上に避難させることも困難であり、且つ、そのような発想もないものであった。更に特開２００９−５１６１３は火災時が対象であり、且つ、地上に降ろす目的であり、本発明とは目的が異なるものである。
【先行技術文献】
【特許文献】
【０００５】
【特許文献１】特開２００９−５１６１３号公報
【発明の概要】
【発明が解決しようとする課題】
【０００６】
本発明は津波や洪水などが発生した際に、寝たきりのベッド利用者や車椅子利用者の入居者を効率良くエレベーターに乗せ、屋上に短時間で且つ確実に全員を運搬して避難させることが出来る社会福祉施設等に於いてエレベーターを利用する入居者の緊急避難方法を提供することを目的とする。
【課題を解決するための手段】
【０００７】
本発明は上記現状に鑑み成されたものであり、つまり、予め非常階段に沿ってエレベーターを設置しておき、寝たきりのベッド利用者や車椅子利用者を、多段状の床を有したエレベーターカゴに各階から同時に乗せて、エレベーターを１階又は半階の高さ分ずつ上昇させて、上の階から順次屋上に運び出して避難させる入居者の緊急避難方法と成す。又、エレベーターカゴの引揚手段を、人力によって引揚げる構造と成し、それを用いて避難する緊急避難方法と成しても良い。
【発明の効果】
【０００８】
請求項１のように寝たきりのベッド利用者（Ｂ）や車椅子利用者（Ｋ）を津波から避難させるために、エレベーター（Ｅ）を利用して建築物の屋上（Ｏ）へ運ぶ入居者の緊急避難方法であって、建築物の非常階段（Ｈ）に沿って立設したエレベーター（Ｅ）の支柱枠体(１)と、該支柱枠体(１)の内側で上昇可能に配置されると共に各階に対応する多段状の床(21)を有したエレベーターカゴ（２）と、そのエレベーターカゴ（２）が引揚げられるための引揚手段（３）と、を少なくとも備えたエレベーター（Ｅ）を設置させ、前記エレベーターカゴ（２）の床(21)が各階に対応する位置に取付けられ、各階からベッド利用者（Ｂ）や車椅子利用者（Ｋ）が同時にエレベーター（Ｅ）に乗り入れられた後、次にエレベーター（Ｅ）を１階の高さ分ずつ上昇させて停止し、上の階から順次屋上（Ｏ）に運び出して避難する避難方法と成すことにより、津波や洪水などが発生した際に、特別養護老人ホームや介護施設，障害者施設などの社会福祉施設等の寝たきりのベッド利用者（Ｂ）や車椅子利用者（Ｋ）の入居者全員を、エレベーターに効率良く乗せ、短時間で且つ確実に屋上に避難させることが出来るものとなる。
【０００９】
請求項２のようにエレベーターカゴ（２）の床(21)が各階に対して、上下方向に２等分割された新たな床(22)を取付け、各階からベッド利用者（Ｂ）や車椅子利用者（Ｋ）が同時にエレベーター（Ｅ）の各床(21)に乗り入れ、先ずエレベーター（Ｅ）が半階の高さ分上昇して停止し、前記各床(22)に各階からベッド利用者（Ｂ）や車椅子利用者（Ｋ）を同時にエレベーター（Ｅ）に乗り入れ、次にエレベーター（Ｅ）を半階の高さ分ずつ上昇させて停止し、上の階から順次屋上（Ｏ）に運び出して避難する避難方法と成すことにより、請求項１と同様な効果が得られ、更にベッド利用者（Ｂ）や車椅子利用者（Ｋ）をより早く避難することが可能となる。
【００１０】
請求項３に示すようにエレベーターカゴ（２）の引揚手段（３）を人力によって引揚げる構造と成し、それを用いて避難することにより、停電時であってもエレベーター（Ｅ）が作動できるので、ベッド利用者（Ｂ）や車椅子利用者（Ｋ）の入居者全員をより確実に屋上（Ｏ）に運び出して避難することが可能となる。
【図面の簡単な説明】
【００１１】
【図１】本避難方法の工程を示す説明図である。
【図２】本避難方法の別工程を示す説明図である。
【図３】本実施形態のエレベーターカゴにベッド利用者と車椅子利用者が乗り入れた状態を示す説明図である。
【図４】本実施形態のエレベーターが非常階段に沿って設置された状態を示す説明図である。
【図５】本実施形態の支柱枠体とエレベーターカゴを示す説明図である。
【発明を実施するための形態】
【００１２】
本発明の実施形態で使用するエレベーターの概要を示す図番について説明する。（１）は図４に示すように非常階段（Ｈ）に沿って立設したエレベーター（Ｅ）の支柱枠体であり、該支柱枠体（１）は上方が開口されている。（２）は支柱枠体(１)の内側で上昇可能に配置されると共に図５に示すように各階に対応する多段状の床(21)を有したエレベーターカゴであり、該エレベーターカゴ（２）の周囲は出入口方向以外が金網（23）で囲われている。また前記エレベーターカゴ（２）の上部には屋根（24）を設けておくのが好ましい。（３）はエレベーターカゴ（２）を引揚げるための引揚手段であり、該引揚手段（３）は支柱枠体（１）の屋上部に設けられている。前記引揚手段（３）は、図３、図４に示すように支柱枠体（１）の両側に設けた大きな手動車輪（31）と、該手動車輪（31）の回転軸（32）と、その回転軸（32）に配置した巻取ドラム（33）と、回転軸（32）に配置すると共に動滑車を収納する動滑車ケース（34）と、前記巻取ドラム（33）に巻き取られる図示しないワイヤーと、から少なくとも構成されている。前記ワイヤーの先端は、エレベーターカゴ（２）の最下段の床(21)に接続されている。尚、前記引揚手段（３）は人力ではなく、非常用電源による駆動用モータを用いて引揚げる構造と成したものとしても良い。
【００１３】
次に本発明の避難方法の工程を図１に基づいて説明する。尚、図中の建築物は３階建てであるが、階数は３階に限定されるものではない。先ず始めに津波発令などが出た場合は、素早く館内放送などによって入居者に避難を促すと共に各職員は担当部署に就いて避難準備を行う。この避難準備としては、先ず屋上（Ｏ）のエレベーター（Ｅ）の昇降口両側に、一人ずつ担当操作員（以降、操作員という）として配置する。該操作員は引揚手段（３）の手動車輪（31）を作動させて、エレベーターカゴ（２）を引揚げるための人力（人間動力）の役目を果たす。次に非常階段（Ｈ）の中間階踊場に担当指示職員（以降、指示者という）を配置すると共に非常階段（Ｈ）の屋上踊場に２〜３名の担当介護職員（以降、介護者という）を配置する。また各階の介護者を所定人員配置させる。この各階の介護者は、エレベーター（Ｅ）まで入居者を移動する。これで避難準備は完了する。
【００１４】
次にエレベーター（Ｅ）を始動させる工程に移る。この工程について詳細に説明する。尚、この時、多段状の床(21)は各階の床面と略同一高さに位置して待機している。先ず、工程１として、各階の介護者は、入居者（被介護者）を各階からエレベーターカゴ（２）の中に運び入れる。この時、図１に示すよう１階に於いては、寝たきりのベッド利用者（Ｂ）２名は奥まで押入れ、車椅子利用者（Ｋ）２名は奥と手前に入れて待機する（図３参照）。２階に於いては、寝たきりのベッド利用者（Ｂ）１名は奥まで押入れ、車椅子利用者（Ｋ）４名は奥と手前に入れて待機する。３階に於いては、車椅子利用者（Ｋ）６名は奥と手前に入れて待機する。尚、この収容台数はエレベーターカゴ（２）の広さによって決定される。このようにエレベーターカゴ（２）がいっぱいか、或いは避難者終了の時には、完了ボタン等を押すか又は声を掛け合った後、引揚手段（３）を作動させる。
【００１５】
操作員は、指示者の合図に基づき、引揚手段（３）の手動車輪（31）を作動させて、エレベーターカゴ（２）の最上階（３Ｆ）の床(21)が屋上（Ｏ）の床面と略同じ高さになるまで引揚げて停止させる。この時、屋上（Ｏ）に居る介護者は、内部の入居者を運び出して屋上（Ｏ）へ移動させることにより、屋上（Ｏ）に車椅子利用者（Ｋ）６名が避難できるのである。これで工程２が終了する。
【００１６】
次に工程２が終了後、操作員は指示通り、前記手動車輪（31）を作動させて、エレベーターカゴ（２）の２階の床(21)が屋上（Ｏ）の床面と略同じ高さになるまで引揚げて停止させる。上記同様にしてエレベーターカゴ（２）から運び出して屋上（Ｏ）へ移動させる。すると、屋上（Ｏ）にベッド利用者（Ｂ）１名と車椅子利用者（Ｋ）４名が避難できるのである。これで工程３が終了する。上記同様にしてエレベーターカゴ（２）の１階の床(21)が屋上（Ｏ）の床面と略同じ高さになるまで引揚げて停止させる。そしてエレベーターカゴ（２）から運び出して屋上（Ｏ）へ移動させる。すると、屋上（Ｏ）にベッド利用者（Ｂ）２名と車椅子利用者（Ｋ）２名が避難できるのである。これで工程４が終了する。この時、エレベーターカゴ（２）は屋上（Ｏ）よりも上方に突出した状態になる。操作員は指示通り、手動車輪（31）を反対方向に作動させて、内部が空になったエレベーターカゴ（２）を降下させて元の待機位置に戻して工程５が終了する。この工程５の場合、エレベーターカゴ（２）が自重で自然落下するので、操作員は、手動車輪（31）を軽く触れて、エレベーターカゴ（２）がゆるやかに落下するように制動させる。このエレベーターカゴ（２）は地上に着くまで降下される。これで１サイクルの工程が完了するのである。各工程の所要時間は略１５〜２０秒前後である。
【００１７】
上記のように工程１〜工程５までを数回繰返して行えば、入居者であるベッド利用者（Ｂ）や車椅子利用者（Ｋ）の全員がエレベーター（Ｅ）を利用して屋上（Ｏ）に短時間で運び出して避難することが可能となるのである。
【００１８】
本発明の避難方法の別工程に基づいて説明する。この工程は前記工程と比べ、多段状の各床（21）の中間位置には上下方向に２等分する床（22）が設けられているので、エレベーターカゴ（２）の収納人員が略２倍になる。尚、この時、最上階は２倍にならずそのままである。そして、引揚手段（３）によるエレベーターカゴ（２）が引揚げられる高さは上記の半分、つまり、半階分ずつ順次上昇して停止され、屋上（Ｏ）に運び出されて避難することができるものとなる。従って、上記の工程よりも多くの入居者をエレベーターカゴ（２）に多く乗せることが出来るので、エレベーター（Ｅ）に効率良く乗り入れが行われ、且つ、入居者であるベッド利用者（Ｂ）や車椅子利用者（Ｋ）が、上記の場合よりも更に短時間の内に屋上（Ｏ）へ避難できるのである。
【００１９】
この別工程を図２に基づいて詳細に説明する。予め上記工程と同様に避難準備を完了させておく。先ず始めに工程１として、各階の介護者は、入居者（被介護者）を各階からエレベーターカゴ（２）の中に、車椅子利用者（Ｋ）６名を上記同様に運び入れる。この時、床（21）と床（22）の間隔は約1.5メートル前後である。このため、ベッド利用者（Ｂ）や車椅子利用者（Ｋ）を運び入れることに対しては問題ないが、介護者が乗り込む場合には、中腰姿勢或いは座った姿勢で待機する。その後、各階の床（21）がいっぱいになった時には、完了ボタン等を押すか又は声を掛け合った後、引揚手段（３）を作動させる。
【００２０】
操作員は、指示者の合図に基づき、図１の上記工程と同様に引揚手段（３）の手動車輪（31）を作動させて、エレベーターカゴ（２）を半階分だけ引揚げて停止させる。すると、エレベーターカゴ（２）の各床(22)は２階と３階の床面と略同じ高さになるので、上記同様に２階と３階から同時にエレベーターカゴ（２）内部に車椅子利用者（Ｋ）６名ずつを運び入れることにより、工程２が完了する。尚、この時の前記エレベーターカゴ（２）内部に運び入れるのは、車椅子利用者（Ｋ）に限定されるものではない。
【００２１】
上記同様に２階と３階の床（22）がいっぱいになった時には、完了ボタン等を押すか又は声を掛け合った後、操作員によってエレベーターカゴ（２）を半階分だけ引揚げて停止させる。屋上（Ｏ）に居る介護者が、内部の車椅子利用者（Ｋ）６名を運び出して屋上（Ｏ）へ移動させることで工程３が終了する。その後、操作員によってエレベーターカゴ（２）を半階分だけ引揚げて停止させる。そして、前記介護者が、内部の車椅子利用者（Ｋ）６名を運び出して屋上（Ｏ）へ移動させることで工程４が終了する。更に操作員によってエレベーターカゴ（２）を半階分だけ引揚げて停止させる。前記介護者が、内部の車椅子利用者（Ｋ）６名を運び出して屋上（Ｏ）へ移動させることで工程５が終了する。そして、上記同様に操作員によってエレベーターカゴ（２）を半階分だけ引揚げて停止させ、前記介護者が上記同様にして、車椅子利用者（Ｋ）６名を順次屋上（Ｏ）へ運び出して移動させることで工程６と工程７が終了する。
【００２２】
エレベーターカゴ（２）内部に乗り込んだ車椅子利用者（Ｋ）全員が屋上（Ｏ）へ避難した後、引揚手段（３）を作動させて、エレベーターカゴ（２）を最初の待機位置まで降下させることにより、工程８が終了する。工程８の場合、エレベーターカゴ（２）が自重で自然落下するので、操作員は、手動車輪（31）を軽く触れて、エレベーターカゴ（２）がゆるやかに落下するように制動させる。この工程１〜工程８の１サイクルの所要時間は約１５０秒である。その後素早く各階で待機していた入居者を上記要領で、車椅子利用者（Ｋ）をエレベーターカゴ（２）の中に運び入れ、引揚手段（３）を作動させて、半階の高さ分ずつ上昇させて停止し、上記工程を繰返すことにより、順次屋上（Ｏ）に入居者全員を運び出して避難させるのである。
【００２３】
尚、前記別工程に基づいて、例えば入居者８０名（寝たきり高齢者２０名含む）の地震時の避難方法について想定する。この時の入居状況は避難時のことを考慮して例えば、３階にベッド利用者（Ｂ）８名と車椅子利用者（Ｋ）２４名、２階にベッド利用者（Ｂ）８名と車椅子利用者（Ｋ）２４名、１階にベッド利用者（Ｂ）４名と車椅子利用者（Ｋ）１２名とする。１サイクルのエレベーターカゴ（２）の中に運び入れる収容人数は３階と２階は、１階の２倍収納できるので、上記工程を４サイクル繰返す必要がある。従って、１５０秒の４倍の６００秒であるが、最後は工程８が不要となるので、約１０秒を引くと、全体の所要時間は５９０秒、つまり、９分５０秒となるのである。
【００２４】
このように特別養護老人ホームや介護施設，障害者施設などの社会福祉施設等に於いて、主に寝たきりの状態のベッド利用者（Ｂ）や車椅子利用（Ｋ）などが、津波から避難することは従来であれば極めて難しかったが、本発明方法で用いる多層のエレベーターカゴ（２）を有したエレベーター（Ｅ）を利用して、入居者であるベッド利用者（Ｂ）や車椅子利用者（Ｋ）を短時間の内に屋上（Ｏ）へ避難させることが可能となるのである。
【符号の説明】
【００２５】
１  支柱枠体
２  エレベーターカゴ
21,22  床
３  引揚手段
Ｂ  ベッド利用者
Ｅ  エレベーター
Ｈ  非常階段
Ｋ  車椅子利用者
Ｏ  屋上
【図１】
2014234274.tif 000003
【図２】
2014234274.tif 000004
【図４】
2014234274.tif 000005
【図５】
2014234274.tif 000006
【図３】
2014234274.tif 000007